(57)【要約】【課題】粉状の内容物や、粉状の破片を生じる内容物を収容した場合であっても、雄側嵌合部と雌側嵌合部を安定して嵌合し、開口を閉じることができる嵌合具および嵌合具付き袋体の提供を目的とする。【解決手段】帯状の一対の基材１１、１２のそれぞれに、凸条の雄側嵌合部１３および雄側嵌合部１３と着脱自在に嵌合する雌側嵌合部１４が長手方向に沿って設けられ、雌側嵌合部１４が、雄側嵌合部１３が嵌まり込む凹部１４ｃを形成する一対のアーム部１４ａ、１４ｂを有し、その一方のアーム部１４ｂに、凹部１４ｃに混入した粉状物を流出させる流出口１５が形成されている嵌合部１０。【選択図】図１
2012131563.tif 000002
【特許請求の範囲】
【請求項１】
帯状の一対の基材のそれぞれに、凸条の雄側嵌合部および該雄側嵌合部と着脱自在に嵌合する雌側嵌合部が長手方向に沿って設けられた嵌合具であって、
前記雌側嵌合部が、前記雄側嵌合部が嵌まり込む凹部を形成する一対のアーム部を有し、その一方のアーム部に、前記凹部に混入した粉状物を流出させる流出口が形成されていることを特徴とする嵌合具。
【請求項２】
前記雌側嵌合部における前記流出口が形成された側のアーム部の厚みが、もう一方のアーム部の厚みに比べて肉厚になっている、請求項１に記載の嵌合具。
【請求項３】
前記雌側嵌合部における前記流出口が形成された側のアーム部が、その外側面が平面となるように基材から立ち上がっている、請求項１または２に記載の嵌合具。
【請求項４】
内容物を収容する袋本体と、該袋本体の内面に取り付けられた請求項１〜３のいずれか一項に記載の嵌合具とを具備し、
前記嵌合具の前記流出口が形成された側のアーム部が、前記袋本体の内容物側となるように取り付けられている嵌合具付き袋体。
【発明の詳細な説明】
【技術分野】
【０００１】
本発明は、嵌合具および嵌合具付き袋体に関する。
【背景技術】
【０００２】
食品、薬品および雑貨などの様々な分野において、袋体の開口を開閉自在に封じる嵌合具が取り付けられた嵌合具付き袋体が広く用いられている。例えば、一対の帯状の基材に、雄側嵌合部および該雄側嵌合部に着脱自在に嵌合する雌側嵌合部が、前記基材の長手方向に沿ってそれぞれ設けられた嵌合具が、内容物を収容する袋本体の上部の内面に取り付けられる（例えば、特許文献１）。このような嵌合具付き袋体は、袋本体の上部に開口を形成した後、嵌合具の雄側嵌合部と雌側嵌合部とを着脱させることにより、形成した開口の開閉が繰り返し行える。
【先行技術文献】
【特許文献】
【０００３】
【特許文献１】特開２００８−４４６６３号公報
【発明の概要】
【発明が解決しようとする課題】
【０００４】
しかし、特許文献１に記載のような嵌合具付き袋体は、粉状の内容物や、菓子等の粉状の破片を生じる内容物を収容した場合に、雌側嵌合部内に粉状の内容物や破片等が入り込み、雄側嵌合部と雌側嵌合部の嵌合が阻害されることがある。
【０００５】
本発明は、粉状の内容物や、粉状の破片を生じる内容物を収容した場合であっても、雄側嵌合部と雌側嵌合部を安定して嵌合し、開口を閉じることができる嵌合具、および嵌合具付き袋体の提供を目的とする。
【課題を解決するための手段】
【０００６】
本発明は、前記課題を解決するために以下の構成を採用した。
［１］帯状の一対の基材のそれぞれに、凸条の雄側嵌合部および該雄側嵌合部と着脱自在に嵌合する雌側嵌合部が長手方向に沿って設けられた嵌合具であって、
前記雌側嵌合部が、前記雄側嵌合部が嵌まり込む凹部を形成する一対のアーム部を有し、その一方のアーム部に、前記凹部に混入した粉状物を流出させる流出口が形成されていることを特徴とする嵌合具。
［２］前記雌側嵌合部における前記流出口が形成された側のアーム部の厚みが、もう一方のアーム部の厚みに比べて肉厚になっている、［１］に記載の嵌合具。
［３］前記雌側嵌合部における前記流出口が形成された側のアーム部が、その外側面が平面となるように基材から立ち上がっている、［１］または［２］に記載の嵌合具。
［４］内容物を収容する袋本体と、該袋本体の内面に取り付けられた［１］〜［３］のいずれか一項に記載の嵌合具とを具備し、
前記嵌合具の前記流出口が形成された側のアーム部が、前記袋本体の内容物側となるように取り付けられている嵌合具付き袋体。
【発明の効果】
【０００７】
本発明の嵌合具は、粉状の内容物や、粉状の破片を生じる内容物を収容した場合であっても、雄側嵌合部と雌側嵌合部を安定して嵌合し、袋体の開口を閉じることができる。
本発明の嵌合具付き袋体は、粉状の内容物や、粉状の破片を生じる内容物を収容した場合であっても、雄側嵌合部と雌側嵌合部を安定して嵌合し、開口を閉じることができる。
【図面の簡単な説明】
【０００８】
【図１】本発明の嵌合具の一例を示した斜視図である。
【図２】図１の嵌合具を直線Ｉ−Ｉ’で切断した断面図である。
【図３】図１の嵌合具を取り付けた嵌合具付き袋体を示した正面図である。
【図４】図３の嵌合具付き袋体を直線II−II’で切断した断面図である。
【図５】本発明の嵌合具の他の例を示した斜視図である。
【発明を実施するための形態】
【０００９】
以下、本発明の嵌合具および嵌合具付き袋体の一例を示して詳細に説明する。
＜第１実施形態＞  
（嵌合具）
本実施形態の嵌合具１０は、図１および図２に示すように、一対の帯状の基材１１、１２を有している。
基材１１の対向面１１ａには、基材１１の長手方向に沿って雄側嵌合部１３が設けられている。また、基材１２の対向面１２ａには、基材１２の長手方向に沿って、雄側嵌合部１３と着脱自在に嵌合する雌側嵌合部１４が設けられている。
【００１０】
基材１１は、公知の嵌合具における基材に通常使用される材質の基材が使用でき、積層フィルムからなる基材が好ましい。積層フィルムからなる基材１１としては、例えば、対向面１１ａ側から、耐熱層とヒートシール層が積層されたフィルムが挙げられる。また、基材１１は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００１１】
基材１１は、１種の樹脂からなっていてもよく、２種以上の樹脂を含む樹脂組成物からなっていてもよい。また、必要に応じて安定剤、酸化防止剤、滑剤、帯電防止剤、着色剤などの公知の添加剤が添加されていてもよい。
また、基材１１は、積層フィルムからなる基材には限定されず、単層フィルムからなる基材であってもよい。
基材１２は、基材１１と同じ材質の基材が使用でき、積層フィルムからなる基材が好ましい。
【００１２】
雄側嵌合部１３は、図２に示すように、基材１１の対向面１１ａから立ち上がる幹部１３ａと、幹部１３ａよりも大きい断面略半円形状の頭部１３ｂを有している。また、雌側嵌合部１４は、基材１２の対向面１２ａから断面円弧状に立ち上がるアーム部１４ａ、１４ｂからなり、これらアーム部１４ａ、１４ｂにより凹部１４ｃが形成されている。雄側嵌合部１３と雌側嵌合部１４は、雄側嵌合部１３の頭部１３ｂを雌側嵌合部１４の凹部１４ｃに嵌め込むことで、着脱自在に嵌合できるようになっている。
この例の嵌合具１０は、内容物を収容する袋本体の内面に、雌側嵌合部１４のアーム部１４ｂ側が内容物側となるように取り付けられる。つまり、基材１１、１２の一方の側端１１ｂ、１２ｂが袋体の開口側、基材１１、１２のもう一方の側端１１ｃ、１２ｃが袋体の内容物側に位置するように袋本体に取り付けられる。そして、雄側嵌合部１３と雌側嵌合部１４とを着脱することで、該袋本体に形成した開口を自在に開閉することを可能となる。
【００１３】
雄側嵌合部１３と雌側嵌合部１４の断面形状は、それらを互いに着脱することで、袋体に形成した開口部の開閉が繰り返し行えるものであればよく、任意の断面形状を採用できる。本発明における嵌合具の雌側嵌合部は、この例の雌側嵌合部１４のように、アーム部１４ａとアーム部１４ｂが基材１２から直接立ち上がっている形態が好ましい。ただし、本発明における嵌合具の雌側嵌合部は、内容物側となる側のアーム部に流出口が形成されていれば、基材から立ち上がる首部と、該首部から円弧状に立ち上がる一対のアーム部を有する雌側嵌合部であってもよい。
雄側嵌合部１３および雌側嵌合部１４の材質としては、基材１１、１２と同じ材質が使用できる。
【００１４】
嵌合具１０は、図１に示すように、袋本体に取り付けられる際に内容物側となる側のアーム部１４ｂに、雌側嵌合部１４の凹部１４ｃ内に混入した粉状物を流出させる、切り欠き形状の流出口１５が形成されていることを特徴とする。これにより、粉状物が雌側嵌合部１４の凹部１４ｃ内に混入しても、該粉状物が凹部１４ｃから流出口１５を通じて流出するので、雄側嵌合部１３と雌側嵌合部１４を安定して嵌合できる。
この切り欠き形状の流出口１５は、刃物によってアーム部１４ｂの一部を切除する方法、アーム部１４ｂの一部を押し潰す方法などにより形成できる。
【００１５】
アーム部１４ｂに形成する流出口１５の長さｄ１（図１）は、１ｍｍ〜２０ｍｍが好ましく、３ｍｍ〜１５ｍｍがより好ましい。流出口１５の長さｄ１が前記下限値以上であれば、雌側嵌合部１４の凹部１４ｃに混入した粉状物が流出口１５を通じて流出されやすくなる。流出口１５の長さｄ１が前記上限値以下であれば、雄側嵌合部１３と雌側嵌合部１４とを互いに嵌め込む部分が相対的に多くなるので、袋体の開口部を封じる力がより強くなる。
【００１６】
隣り合う流出口１５と流出口１５の間隔ｄ２（図１）は、１ｍｍ〜２０ｍｍが好ましく、５ｍｍ〜１５ｍｍがより好ましい。前記間隔ｄ２が前記下限値以上であれば、雄側嵌合部１３と雌側嵌合部１４とを互いに嵌め込む部分が相対的に多くなるので、雄側嵌合部１３と雌側嵌合部１４をより強固に嵌合しやすい。前記間隔ｄ２が前記上限値以下であれば、雌側嵌合部１４の凹部１４ｃに混入した粉状物が流出口１５を通じて流出されやすくなる。
【００１７】
雌側嵌合部１４における流出口１５が形成される側のアーム部１４ｂの厚みは、もう一方のアーム部１４ａの厚みに比べて肉厚になっていることが好ましい。アーム部１４ｂは、流出口１５を形成することにより、流出口１５が形成されないもう一方のアーム部１４ａに比べて強度が弱くなる傾向がある。そのため、アーム部１４ａよりもアーム部１４ｂの方を肉厚にし、アーム部１４ｂの強度を高めることが好ましい。
【００１８】
また、雌側嵌合部１４における流出口１５が形成される側のアーム部１４ｂは、外側面１４ｄが平面となるように基材から立ち上がっていることが好ましい。これにより、流出口１５が形成されてもアーム部１４ｂの強度を充分に確保しやすくなり、雄側嵌合部１３と雌側嵌合部１４をしっかりと嵌合しやすくなる。特に、雌側嵌合部１４における流出口１５が形成される側のアーム部１４ｂは、この例のように、外側面１４ｄが基材１２から垂直に立ち上がっていることが好ましい。ただし、アーム部１４ｂの外側面１４ｄは、基材１２に対して傾斜していてもよい。
【００１９】
（嵌合具付き袋体）
次に、前述した嵌合具１０を備えた嵌合具付き袋体１（以下、単に「袋体１」という。）について説明する。
袋体１は、図３に示すように、内容物を収容する密封された状態の袋本体２０と、袋本体２０内の上部の内面に横方向に沿って設けられた嵌合具１０とを有している。また、袋本体２０における嵌合具１０よりも上部には、横方向に沿って切断補助線２４が設けられており、その端部にノッチ２５が形成されている。つまり、袋体１は、ノッチ２５から、切断補助線２４に沿って袋本体２０のフィルム材２１、２２を切断して、上部を開封できるようになっている。
開封後の袋体１は、嵌合具１０の雄側嵌合部１３と雌側嵌合部１４を着脱することで、形成した開口を自在に開閉できる。
【００２０】
袋本体２０は、２枚のフィルム材２１、２２が重ね合わされ、それらの周縁部２３が全てヒートシールされることで形成されており、密封された状態になっている。
袋本体２０の形状は、本実施形態では矩形である。ただし、袋本体２０の形状は矩形には限定されない。また、袋本体２０の大きさも特に限定されず、袋本体２０に収容する内容物によって適宜選定すればよい。
【００２１】
袋本体２０を形成するフィルム材２１、２２は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレンなどが挙げられる。
シーラント層としては、直鎖状低密度ポリエチレン、無延伸ポリプロピレン、エチレン−酢酸ビニル共重合体、アイオノマーなどが挙げられる。
また、前記積層フィルムには、バリア層などの機能層を設けてもよい。
また、フィルム材２１、２２は、シーラント層のみからなる単層フィルムであってもよい。
【００２２】
嵌合具１０は、基材１１の側端１１ｂ側および基材１２の側端１２ｂ側が袋体１の上部側に向くようにして、雌側嵌合部１４における流出口１５を形成したアーム部１４ｂが内容物側となるように袋本体２０に取り付けられている。また、嵌合具１０は、図４に示すように、嵌合具１０の基材１１が袋本体２０のフィルム材２１に溶着され、嵌合具１０の基材１２が袋本体２０のフィルム材２２に溶着されて取り付けられている。
【００２３】
切断補助線２４は、袋本体２０を切断して開封するのを補助する線であり、例えば、袋本体２０のフィルム材２１、２２における切断補助線２４の部分をそれ以外の部分に比べて薄肉化した弱化線、ミシン目からなる弱化線、列状に形成された細孔からなる弱化線が挙げられる。また、切断補助線２４は、前記弱化線には限定されず、ハサミやカッター等で切断する位置を示す、印刷等で形成した線であってもよい。
切断補助線２４は、本実施形態では袋本体２０の幅方向に沿って形成されているが、この形態には限定されず、袋本体２０の幅方向に対して傾斜して設けられていてもよい。
【００２４】
ノッチ２５の形状は、この例では三角形状であるが、特に限定されず、半円形状、直線状などであってもよい。
【００２５】
袋体１では、ノッチ２５から切断補助線２４に沿って袋本体２０の上部を開封した後に内容物を取り出す際等に、雌側嵌合部１４の凹部１４ｃ内に粉状物が混入することがある。しかし、袋体１を立てて、雄側嵌合部１３と雌側嵌合部１４を嵌合して袋体１の開口を再度封じる際に、雌側嵌合部１４の凹部１４ｃ内の粉状物が、流出口１５から内容物側へと落下して流出する。そのため、粉状の内容物や、粉状の破片を生じる内容物を収容した場合であっても、雄側嵌合部１３と雌側嵌合部１４を安定に嵌合して開口を封じることができる。
また、雄側嵌合部１３と雌側嵌合部１４を嵌合している状態では、雌側嵌合部１４の凹部１４ｃ内には雄側嵌合部１３の頭部１３ｂが嵌まり込んでいるので、流出口１５から雌側嵌合部１４の凹部１４ｃ内に粉状物が混入することはない。
袋体１は、嵌合具１０を用いる以外は公知の製造方法で製造できる。
【００２６】
＜第２実施形態＞  
（嵌合具）
次に、本発明の嵌合具の他の実施形態例である嵌合具１０Ａについて説明する。嵌合具１０Ａにおいて、前記嵌合具１０と同じ部分は同符号を付して説明を省略する。
本実施形態の嵌合具１０Ａは、図５に示すように、一対の帯状の基材１１、１２を有している。また、基材１１の対向面１１ａには、基材１１の長手方向に沿って雄側嵌合部１３が設けられている。また、基材１２の対向面１２ａには、基材１２の長手方向に沿って、雄側嵌合部１３と着脱自在に嵌合する雌側嵌合部１４が設けられている。
嵌合具１０Ａは、袋本体に取り付けられる際に内容物側となる側のアーム部１４ｂに、雌側嵌合部１４の凹部１４ｃ内に混入した粉状物を流出させる、アーム部１４ｂを貫通する流出口１５Ａが形成されていることを特徴とする。すなわち、嵌合具１０Ａは、流出口１５Ａ以外は嵌合具１０と同じであり、好ましい態様も同じである。
また、嵌合具１０Ａは、嵌合具１０とは異なり、雌側嵌合部１４におけるアーム部１４ｂの先端部分が連なっているため、嵌合具１０に比べて雄側嵌合部１３と雌側嵌合部１４の嵌合がより強くなる点で好ましい。
【００２７】
嵌合具１０Ａは、嵌合具１０と同様に、粉状物が雌側嵌合部１４の凹部１４ｃ内に混入しても、該粉状物が凹部１４ｃから流出口１５Ａを通じて流出するので、雄側嵌合部１３と雌側嵌合部１４を安定して嵌合できる。
アーム部１４ｂを貫通する流出口１５Ａは、例えばレーザーを用いて貫通孔を形成する方法などにより形成できる。
【００２８】
流出口１５Ａの開口形状は、この例では楕円形状であるが、雌側嵌合部１４の凹部１４ｃ内に混入した粉状物が流出できる形状であれば特に限定されない。例えば、円形状、矩形状などであってもよい。
【００２９】
流出口１５Ａの開口面積は、アーム部１４ｂの大きさによっても異なるが、０．５ｍｍ２〜１５ｍｍ２が好ましく、２．５ｍｍ２〜１０ｍｍ２がより好ましい。流出口１５Ａの開口面積が前記下限値以上であれば、雌側嵌合部１４の凹部１４ｃ内に混入した粉状物が流出口１５Ａから流出しやすくなる。また、流出口１５Ａの開口面積が前記上限値以下であれば、アーム部１４ｂの強度を確保しやすい。
【００３０】
隣り合う流出口１５Ａと流出口１５Ａの間隔は、１ｍｍ〜２０ｍｍが好ましく、５ｍｍ〜１５ｍｍがより好ましい。隣り合う流出口１５Ａと流出口１５Ａの間隔が前記下限値以上であれば、雄側嵌合部１３と雌側嵌合部１４とを互いに嵌め込む部分が相対的に多くなるので、雄側嵌合部１３と雌側嵌合部１４をより強固に嵌合しやすい。隣り合う流出口１５Ａと流出口１５Ａの間隔が前記上限値以下であれば、雌側嵌合部１４の凹部１４ｃに混入した粉状物が流出口１５を通じて流出されやすくなる。
【００３１】
（嵌合具付き袋体）
嵌合具１０Ａを備えた嵌合具付き袋体としては、例えば、袋体１において、嵌合具１０の代わりに嵌合具１０Ａを用いた袋体が挙げられる。該袋体における嵌合具１０Ａは、嵌合具１０と同様に、雌側嵌合部１４における流出口１５Ａが形成されたアーム部１４ｂが内容物側となるように袋本体内に取り付けられる。
これにより、内容物を取り出す際に雌側嵌合部１４の凹部１４ｃ内に粉状物が混入しても、袋体１を立てて開口を再度封じる際に、雌側嵌合部１４の凹部１４ｃ内の粉状物が流出口１５Ａから内容物側へと落下して流出する。そのため、粉状の内容物や、粉状の破片を生じる内容物を収容した場合であっても、雄側嵌合部１３と雌側嵌合部１４を安定に嵌合して開口を封じることができる。
また、嵌合具１０を使用した場合と同様に、雄側嵌合部１３と雌側嵌合部１４を嵌合している状態では、雌側嵌合部１４の凹部１４ｃ内には雄側嵌合部１３の頭部１３ｂが嵌まり込んでいるので、流出口１５Ａから雌側嵌合部１４の凹部１４ｃ内に粉状物が混入することはない。
【００３２】
以上説明した本発明の嵌合具を取り付けた嵌合具付き袋体は、雌側嵌合部における袋体の内容物側に位置する側のアーム部に、雌側嵌合部の凹部内に混入した粉状物を流出させる流出口が形成されているため、粉状の内容物を収容する場合などであっても、雄側嵌合部と雌側嵌合部を安定して嵌合して開口を封じることができる。
【００３３】
なお、本発明の嵌合具は、雌側嵌合部における袋体の内容物側に位置する側のアーム部に、雌側嵌合部の凹部内に混入した粉状物を流出させる流出口が形成されているものであれば、前記嵌合具１０、嵌合具１０Ａには限定されない。つまり、雌側嵌合部の凹部内に混入した粉状物を流出させる流出口が形成される以外の形態は限定されず、その他の形態は公知のいかなる形態を採用してもよい。
また、本発明の嵌合具付き袋体は、本発明の嵌合具を取り付けたものであればよく、前記袋体１には限定されず、嵌合具付き袋体の袋本体として知られる様々な形態の袋本体を採用できる。
【符号の説明】
【００３４】
１  嵌合具付き袋体
１０、１０Ａ  嵌合具
１１、１２  基材
１３  雄側嵌合部
１４  雌側嵌合部
１４ａ、１４ｂ  アーム部
１４ｃ  凹部
１５、１５Ａ  流出口
【図１】
2012131563.tif 000003
【図２】
2012131563.tif 000004
【図３】
2012131563.tif 000005
【図４】
2012131563.tif 000006
【図５】
2012131563.tif 000007